(57)【特許請求の範囲】
【請求項１】
パチンコ球を貯留する皿部の底壁に球抜き孔を開設すると共に、前記底壁の下面に設けられる支持枠に前記球抜き孔を常に閉じる方向に付勢部材で付勢した開閉部材を移動自在に設け、前記開閉部材を前記球抜き孔が開放される位置に移動することによりパチンコ球を球抜きするようにしたパチンコ機における球抜き装置であって、
前記球抜き孔を開設した底壁にパチンコ球が落入する落入孔を穿設し、
前記開閉部材が該球抜き孔を開放する位置にあるとき、前記落入孔に位置するパチンコ球がその球重量によって該開閉部材を押し下げて該開閉部材を係合させる係止手段を設け、
前記支持枠の上面に前記開閉部材の側縁を支持する支持部を設けると共に、
前記皿部の底壁下面に前記支持枠に設けられた支持部と対向するようにリブ壁を設け、
前記開閉部材は、前記落入孔に位置するパチンコ球の球重量から解放され、前記付勢部材によって球抜き孔を閉じる位置に自動復帰するとき、該開閉部材の側縁が前記リブ壁に当接しながら摺動するようにしたことを特徴とするパチンコ機における球抜き装置。
【請求項２】
前記リブ壁は、前記開閉部材の復帰方向に対して仰角または俯角に傾斜して設けられていることを特徴とする請求項１記載のパチンコ機における球抜き装置。
【請求項３】
前記開閉部材の球抜孔を閉塞する状態において少なくとも球抜き孔に位置する上面を球抜き孔の閉塞方向に下傾させたことを特徴とする請求項１または２記載のパチンコ機における球抜き装置。
【発明の詳細な説明】
【０００１】
【発明の属する技術分野】
本発明は、パチンコ球が貯留される球受皿および供給通路等の球抜き装置に関し、特にパチンコ球の球重量により開閉部材を球抜き孔を開放する位置に停止保持させるようにした球抜き装置に関するものである。
【０００２】
【従来の技術】
従来、開閉部材を係止部材によって球抜き位置に係止し、押圧部材の押圧によってその係止を解除するようにした球受皿の球抜き装置は知られている（例えば特公平３−５３９５４号公報参照）。
【０００３】
従来の球受皿の球抜き装置は、多くの部品を必要として構造が複雑で、組立に手間が掛かってコスト高になるという問題があった。また、皿部にパチンコ球がない状態でも開閉部材を摺動させると球抜き位置に停止保持されてしまい、開閉部材の停止状態を解除するためには必ず停止解除操作をしなければならなかった。このため、球受皿のパチンコ球の球抜きが終わっても解除操作をするのを忘れて、球受皿が球抜き状態に置かれたままとなり、次の遊技者に迷惑を及ぼしたり店員がいちいち解除操作をしなければならないという問題があった。
【０００４】
そこで、本出願人により、球受皿に貯留されるパチンコ球の球重量を利用して開閉部材を球抜き位置に停止保持させることができると共に、球受皿のパチンコ球が抜き取られると自動的に停止状態を解除することができる球受皿の球抜き装置を提案した（例えば特開平２０００−３３１６３号参照）。
【０００５】
【発明が解決しようとする課題】
しかしながら、上記した球受皿の球抜き装置は、球重量から解放されて係合が解除した際に開閉体の先端部が跳ね上がりながら閉塞したり、戻りが速すぎて皿部にパチンコ球が残ってしまうといった不都合が生じ得ることが判明した。
【０００６】
そこで本発明は、従来の技術の有するこのような問題点に鑑みてなされたものであり、その目的とするところは、貯留されるパチンコ球を利用して開閉部材を球抜き位置に停止保持させることができると共に、パチンコ球が残ることなくスムーズに停止状態を解除することができる球抜き装置を提供しようとするものである。
【０００７】
【課題を解決するための手段】
上記目的を達成するために、請求項１記載の発明は、パチンコ球が貯留される底壁に球抜き孔を開設すると共に、該球抜き孔を常に閉じる方向に付勢部材で付勢した開閉部材を移動自在に設け、開閉部材を球抜き孔を開放する位置に移動させることによりパチンコ球を球抜きするようにしたパチンコ機における球抜き装置であって、前記球抜き孔を開設した底壁にパチンコ球が落入する落入孔を穿設し、開閉部材が球抜き孔を開放する位置で前記落入孔に位置するパチンコ球の球重量により係合する係止手段を設けると共に、該開閉部材の動きを規制するガイド手段を設け、球重量から解放されることにより、前記付勢部材の付勢により係合を解除して開閉部材を前記ガイド手段により規制して球抜き孔を閉じる位置に自動復帰するようにしたことを特徴とする。
【０００８】
請求項２記載の発明は、請求項１記載の発明において、前記ガイド手段は開閉部材の復帰方向に対して仰角または俯角に傾斜して設けたガイド溝であることを特徴とする。
【０００９】
請求項３記載の発明は、請求項１または２記載の発明において、前記開閉部材の球抜孔を閉塞する状態において少なくとも球抜き孔に位置する上面を球抜き孔の閉塞方向に下傾させたことを特徴とする。
【００１０】
請求項４記載の発明は、請求項１ないし３のいずれかに記載の発明において、前記開閉部材の復帰時に抵抗となる抵抗手段を設けたことを特徴とする。
【００１１】
請求項５記載の発明は、請求項４記載の発明において、前記抵抗手段は開閉部材の移動により歯車を回転させるようにしたことを特徴とする。
【００１２】
前記係止手段は、開閉部材下面に設けた突条の係止部および支持枠に設けた突条の係合部であり、係脱しやすいように傾斜面を有するのが好ましい。
【００１３】
また、前記落入孔は球抜き孔と連通して設けるのが好ましい。
【００１４】
さらに、皿部にパチンコ球が確実に残らないようにするために、前記開閉部材が球抜き孔の開閉度合を違えて係合する係合部を複数設け、段階的に係合するようにするのが好ましい。
【００１５】
また、係止手段として前記開閉部材が支持される皿部の前面壁に係合部を設け、開閉部材の操作部を係合部に直接的に係合させ、又は操作部に係止部を設けて係合部と係止部とを係合させることにより開閉部材を球抜き孔を開放する位置に係止保持させるようにしてもよい。
【００１６】
なお、本発明のパチンコ機における球抜き装置は、パチンコ機の前面枠の前面に設けられる打球供給用の上部球受皿または上部球受皿の余剰球を貯留する下部球受皿のいずれにも適用可能であり、球誘導樋等の供給通路の球抜きにも適用できる。
【００１７】
また、本発明の球抜き装置は、球抜き孔を開閉する開閉部材が前後方向または左右方向に摺動自在に設けられたもの、あるいは回動自在に設けられたものにも適用可能である。
【００１８】
【発明の実施の形態】
以下に本発明の実施の形態を図面を参照しつつ説明する。図１はパチンコ機の正面図、図２はパチンコ機の裏面図である。図において１はパチンコ機の機枠、２は機枠１の前面に開閉自在に設けられる前面枠である。該前面枠２の裏面には遊技盤５が着脱自在に取付けられ、前面枠２の前面にはガラス扉枠３および前面板４が開閉自在に装着されており、該前面板４の前面に打球供給用の上部球受皿６が取付けられている。また、前面枠２の下部には上部球受皿６から溢出するパチンコ球を貯留する下部球受皿７およびパチンコ球の弾発力を調節する操作ハンドル４０が設けられている。
【００１９】
また、前記遊技盤５の裏面には、合成樹脂により方形状に形成された機構板４１が着脱開閉可能に装着されている。該機構板４１のほぼ中央に窓孔４２が形成され、該窓孔４２の上部には球タンク４３が固着されており、該球タンク４３の下方に球誘導樋４４が設けられている。また、球誘導樋４４下流端は屈曲レール４５を介して球払出装置４６に接続されており、該球払出装置４６の下方には払出されたパチンコ球を前記上部球受皿６に導く排出樋４７が設けられている。４８は上部球受皿６の余剰球を下部球受皿７に導く余剰球排出樋である。４９は球抜装置であり、操作レバーを操作することにより供給通路の底壁に設けた球抜弁が可動して球誘導樋４４および屈曲レール４５の供給通路に貯留されるパチンコ球を球抜通路５０に抜き取るようにしている。
【００２０】
下部球受皿７は、図３および図４に示すように多量の余剰球を貯留する皿部８と該皿部８の上部に被着させるカバー部材９とにより形成されている。そして、皿部８の底壁１０のほぼ中央位置に複数のパチンコ球を同時に落下させる球抜き孔１１を開設すると共に、該球抜き孔１１と球抜き方向に連通して多数のパチンコ球を同時に落入させる大きさの落入孔１２を穿設して、該落入孔１２を徐々に球抜き孔１１にむかって大きくなるように形成し、パチンコ球を流出しやすくしている。なお、球抜き孔１１は幅方向に３〜４個のパチンコ球が落下する径が好ましく、形状は最後まで幅方向で球抜きが行われるように角部を円弧状に面取りした略方形状としている。また底壁１０は、皿部８に貯留されたパチンコ球がすべて球抜き孔１１に向うように下傾している。１４は前記皿部８の底壁１０の球抜き孔１１を開閉する開閉部材であり、該開閉部材１４は皿部８の底壁１０と該底壁１０下面にビス着される支持枠１５との間に移動自在に装着されており、付勢部材としてのスプリング１６によって常に球抜き孔１１および落入孔１２を閉じる方向に付勢されている。なお、前記落入孔１２を球抜き孔１１と連通状に設けるようにしたが、球抜き孔１１と別に設けるようにしてもよい。
【００２１】
前記開閉部材１４は、球抜き孔１１および落入孔１２を閉塞する板状部１４ａ下面に前記スプリング１６の一端が嵌入する収納部２０を設けると共に、係止手段として後端にテーパー状のリブを設けた平面円弧状の係止部２２が形成されており、先端両側縁に軸状のガイド突起１８が設けられている。前記係止部２２の係止端縁は傾斜面として係合を解除しやすくしている。また、開閉部材１４の前側縁には支持枠１５の切欠凹部１５ａから皿部８の外方に突出する操作部１７が突設されると共に、切欠凹部１５ａ周縁を挟持する溝状の挟持片１９を設けている。そして、操作部１７を手で操作すると挟持片１９によって前後方向を規制し安定した状態で開閉部材１４を移動し得るようにしている。また開閉部材１４は、球抜き孔１１の閉塞時において上面が球抜き孔１１に向って傾斜した状態として、最後のパチンコ球まで抜き易くするのが好ましい。なお、ガイド突起１８は開閉部材１４の先端部に設けるのが好ましく、特に開閉部材１４の先端部の動きを規制するようにするのがよい。またガイド突起１８は図示した円柱状の軸ピンに限られることなく楕円柱，角柱であってもよい。
【００２２】
前記支持枠１５には図４に示すように球抜き孔１１と相対する位置に、球抜き孔１１を包含する大きさの透孔２３が開設され、該透孔２３は開閉部材１４の閉塞側を球抜き孔１１より約パチンコ球１個分大きく形成して、球抜時に透孔２３端と開閉部材１４の先端とでパチンコ球が挟まらないようにしている。また、該透孔２３の側方に開閉部材１４を支持する支持部２４が約１５°の傾斜状に形成されており、該支持部２４の反対側に前記スプリング１６の一端が嵌着するボス２５が形成されている。そして、支持枠１５の底壁に前記係止部２２が係合する係止手段としての係合部２６が設けられている。３４は前記ボス２５の成形孔であり、端部を傾斜面として収縮したスプリング１６が開口端部に引っ掛からないようにしている。
【００２３】
しかして、前記皿部８の底壁１０下面に前記支持枠１５に設けられた支持部２４に対向位置してリブ壁２７が設けられ、該リブ壁２７および前記支持部２４により前記開閉部材１４のガイド突起１８，１８が摺動するガイド手段としてガイド溝２８を形成している。該ガイド溝２８は開閉部材１４が球抜き孔１１を開放している始端部を前記係止手段の係止範囲分余裕をもたせてガイド突起１８より大径としており、開閉部材１４が球抜き孔１１を閉塞している終端部をガイド突起１８とほぼ同じ径としている。なお、該ガイド溝２８は傾斜状となっているため開閉部材１４のガイド突起１８が摺接して移動するため復帰時の抵抗手段となり、開閉部材１４の復帰を遅らせて球抜き孔１１を閉塞するまでに皿部８のパチンコ球を残すことなく流出するようにしている。
【００２４】
次に図面を参照して球受皿の球抜きの作用を説明する。通常開閉部材１４は図５に示すようにスプリング１６の付勢により球抜き孔１１および落入孔１２を閉塞している。この状態でありかつ図７（ａ）に示すように皿部８に多量のパチンコ球が貯留されているときに、スプリング１６の付勢に抗して操作部１７を指で球抜き孔１１を開放する側へ移動させると、開閉部材１４は皿部８のパチンコ球の球重量によって支持部２４の傾斜に沿って下動し、傾動した開閉部材１４の上面を転がりながら球抜き孔１１から落下し始める。そして図７（ｂ）に示すように、開閉部材１４を球抜き孔１１を開放する位置に移動すると、落入孔１２に位置するパチンコ球の重量によって開閉部材１４の係止部２２が係合部２６に係合する。従って、操作部１７から手を離してもスプリング１６の付勢力より開閉部材１４にかかる球重量の方が勝って、図６に示すように開閉部材１４が球抜き孔１１をほぼ全開する状態に停止保持されることになる。そして、皿部８のパチンコ球は球抜き孔１１から透孔２３を落下して抜き取られる。
【００２５】
このようにして皿部８のパチンコ球が抜き取られて、開閉部材１４にかかる球重量が減少して、開閉部材１４にかかる球重量よりスプリング１６の付勢力の方が勝ると、図７（ｃ）に示すように係止部２２と係合部２６との係合を解除し、図５および図７（ｄ）に示すように開閉部材１４が球抜き孔１１を閉塞する位置に自動的に復動することになる。このとき、ガイド突起１８，１８がガイド溝２８を摺動することにより開閉部材１４の先端部が一気に上動することなく、ガイド溝２８に沿って徐々に上動するため復帰時に適度な抵抗となり残ったパチンコ球が確実に球抜される。そして、透孔２３が球抜き孔１１より開閉部材１４の閉塞方向にほぼパチンコ球１個分大きく形成しているため、開閉部材１４の閉塞時に該開閉部材１４によりパチンコ球を挟み込むようなことがない。
【００２６】
また、万一皿部８内にパチンコ球が残った場合には、再度開閉部材１４を開方向に移動すれば、開閉部材１４にスプリング１６の付勢力に勝る球重量がかからないため、開閉部材１４はロックされることなく残ったパチンコ球を抜き取ることができる。
【００２７】
また、球抜きを途中で中止したい場合には、操作部１７を開閉部材１４にかかる球重量に抗して少し上動すれば開閉部材１４の係合が外れ、スプリング１６の付勢により球抜き孔１１を閉塞することができる。なお、落入孔１２の大きさや形状を変えることにより、開閉部材１４にかかる球重量の調節や開閉部材１４の係合解除のタイミングを調整することができる。例えば前記した実施の形態とは逆に落入孔１２を球抜き孔１１に向かうに従い徐々に狭めるようにすることにより落入孔１２に位置するパチンコ球の滞在時間を長くしてロック状態を長く維持することができる。また、スプリング１６の強さを代えることによっても開閉部材１４の係合解除のタイミングを調整することができる。さらに、ボス２５の傾斜角度を俯角または仰角にすることでスプリング１６の付勢方向が変化し、係止部２２と係合部２６の係合を高めたり、係止部２２と係合部２６の係合を解除しやすくしたりすることができる。
【００２８】
なお、復帰抵抗の調整はスプリングの１６の付勢力の調整と共に支持部２４の傾斜角度の変更によっても可能である。例えば、復帰抵抗が大きい際には支持部２４の傾斜角度を緩やかにすればよく、逆に復帰抵抗が小さい際には支持部２４の傾斜角度をきつくすればよい。また、ガイド突起１８にローラを設けるようにして抵抗を小さくするようにしてもよい。
【００２９】
図８は開閉部材１４を常に球抜き孔の閉塞側に下傾した実施の形態を示したもので、通常開閉部材１４は図８（ａ）に示すようにスプリング１６の付勢により下傾した状態で球抜き孔１１を閉塞している。そして、皿部８にパチンコ球が貯留されている状態で、操作部１７に指を掛けて開閉部材１４をスプリング１６の付勢に抗して球抜き孔１１を開放する側へガイド溝２８に沿って水平移動させると球抜き孔１１が開放して、皿部８のパチンコ球は底壁１０および開閉部材１４の傾斜によって球抜き孔１１から落下し始める。そして、図８（ａ）鎖線に示すように係止部２２が係合部２６に一旦衝止するも図８（ｂ）に示すように開閉部材１４を球抜き孔１１がほぼ全開放する位置まで移動させると、係止部２２および係合部２６の傾斜面により係止部２２が係合部２６を乗り越える。同時に、落入孔１２に位置するパチンコ球の球重量が開閉部材１４の板状部１４ａにかかることによって、開閉部材１４が下動し係止部２２が係合部２６に係合して、操作部１７から手を離してもスプリング１６の付勢力より開閉部材１４にかかる球重量の方が勝って、開閉部材１４は球抜き孔１１を開放する状態に停止保持されることになる。そして、皿部８のパチンコ球は球抜き孔１１から透孔２３を落下して抜き取られる。このとき当然のことではあるがガイド溝２８は係止部２２が係合部２６を乗り越えるように凸状としている。
【００３０】
このようにして皿部８のパチンコ球が抜き取られて、落入孔１２に位置するパチンコ球が減少すると、スプリング１６の付勢力の方が開閉部材１４にかかる球重量より勝って係止部２２と係合部２６との係合が解除され、開閉部材１４が復動し球抜き孔１１を閉じることになる。このとき開閉部材１４が下傾状態にあるため、落入孔１２のパチンコ球は、開閉部材１４が球抜き孔１１を閉じるまで常に球抜き孔１１に向かって転動する。このため、開閉部材１４が球抜き孔１１を閉塞するよりも先に球抜き孔１１から落下して皿部８にパチンコ球を残すことなく球抜きすることができる。なお、球抜き孔１１を開放する際に係止部２２が係合部２６に一旦衝止するため、遊技者によって開閉部材１４をロックしたくない場合にその感触によってロックしない状態が判断でき、遊技者の任意でロックすることができる。
【００３１】
また、図９は開閉部材１４を常に球抜き孔の閉塞側に下傾すると共にガイド溝２８を球抜き孔１１端部と透孔２３端部とで開閉部材１４の閉塞側にむかって下傾した状態で形成している。このようにガイド溝２８が下傾しているため図９（ａ）に示す開閉部材１４が球抜き孔１１を閉じた位置が最大下傾状態にあり、図９（ｂ）のロック状態から、同図鎖線に示すようにロックが解除されると開閉部材１４の板状部１４ａが球抜き孔１１を閉じるに従い板状部１４ａの下向きの傾斜角度が徐々に大きくなる。このためパチンコ球の流出速度が速くなり、より確実な球抜きが可能となる。
【００３２】
図１０は開閉部材１４の復帰抵抗手段として歯車を用いた実施の形態を示し、開閉部材１４の下面にラック３０を設けると共に、該ラック３０に噛合する歯車３１を設けている。この実施の形態において係合部２６は、透孔２３の端部に設けている。さらに、付勢部材として歯車３１の軸３２に巻ばね３３を巻装して一端を歯車３１に他端を支持枠１５に固定しており、巻ばね３３の付勢により図１０（ａ）に示すように常に開閉部材１４が球抜き孔１１を閉塞した状態にあり、操作部１７を操作して球抜方向に移動するとラック３０と歯車３１のギアの噛み合わせにより歯車３１が回転しそれに伴い巻ばね３３が巻かれる。そして、球抜き孔１１を開放状態にすると落入孔１２に位置するパチンコ球の荷重が巻ばね３３の付勢力より勝っている間は図１０（ａ）に示すように係止部２２と係合部２６との係合状態を維持して球抜き孔１１を開放し続ける。そして、パチンコ球が抜けて巻ばね３３の付勢力が開閉部材１４にかかる荷重より勝ると係止部２２と係合部２６との係合が解除され球抜き孔１１を閉塞する。このとき開閉部材１４を戻す付勢力により歯車３１を回転させることで戻り抵抗を付加して開閉部材１４の戻りを遅くするようにしてパチンコ球の残数をなくすようにしている。なお、当然のことながら前記実施の形態と同様に付勢部材としてスプリングを用いてもよいのはいうまでもない。
【００３３】
また、係止手段は上記した実施の形態に限られることなく、例えば図１１に示すように凹凸の係合により係止するようにしてもよく、前記係合部２６を凹孔として、開閉部材１４下面に係止部２２を突設させて同図鎖線に示すように係合させるようにすればよい。このようにすることで係止部２２と係合部２６の係合の際に開閉部材１４の端部が持ち上がることがないため、板状部１４ａを流下するパチンコ球に抵抗を与えることなくよりスムーズな球抜きができる。なお、係合部２６を凸部として係止部２２を凹孔としてもよいのはいうまでもない。また、係止手段は係止部２２を開閉部材１４の後端または上面に設け係合部２６を皿部８下面に設けるようにしてもよく、さらに図１２に示すように支持枠１５の外方に突出した操作部１７を利用して、支持枠１５の切欠凹部１５ａに係合部２６を切欠して設けるようにしてもよい。
【００３４】
また、係止手段を複数設け、開閉部材１４にかかる球重量により、係止部２２が球抜き孔１１の開放状態を違えて段階的に係止するようにしてもよい。このように、開閉部材１４を段階的に係合するようにすることで、皿部８にパチンコ球が残り難くすることができる。また、どちらか一方の係合部が摩耗して係合不能となっても、もう一方が係合することで開閉部材１４を球抜き孔１１の開放位置に保持することができる。なお、係止手段が損耗して係合不能となったとしても、球抜き孔１１の開閉動作には何の支障もなく皿部８のパチンコ球を球抜きすることができる。
【００３５】
また、ガイド手段は上記した実施の形態に限られることなく、図１３に示すように皿部に設けたレール状突条３５に開閉部材１４に設けたコ字状のガイド片３６を挟持させるようにして開閉部材１４の動きを規制するようにしてもよい。なお、該ガイド手段に係止手段を設けるようにしてもよく、ガイド片３６を係止部として突条３５に係合部を設けるようにすればよい。このとき同図に示すようにガイド片３６端部を係脱しやすいようにテーパー面を形成するのが好ましい。同じように前記したガイド突起１８とガイド溝２８からなるガイド手段に係止手段を設けることも可能である。
【００３６】
なお、本発明の球抜き装置は、球抜き孔を開閉する開閉部材が前後左右方向または上下方向に摺動自在に設けられたもの、あるいは支軸を中心に回動自在に設けられたものにも開閉部材１４の形状や球抜き孔１１と落入孔１２との位置関係を変更することによって適用可能である。また、開閉部材１４を操作部１７と板状部１４ａを一体に形成したものとしたが、操作部１７と板状部１４ａを別体に形成してもよく、リンク部材等を介在させることにより移動方向を変えたり移動距離を変化させたりすることが可能となる。また、操作部の位置もデザインの関係からどこに設けられていても本件には何等問題となるものではない。
【００３７】
なお、本発明のパチンコ機における球抜き装置は、パチンコ機の前面枠の前面に設けられる打球供給用の上部球受皿または上部球受皿の余剰球を貯留する下部球受皿のいずれにも適用可能であり、下部球受皿の下方に配置される球箱の球抜き装置および球誘導樋等の供給通路の球抜き装置にも適用できる。
【００３８】
【発明の効果】
以上説明したことから明らかなように、本発明における球抜き装置によれば、貯留されるパチンコ球の球重量を利用して係止する係止手段により開閉部材を球抜き位置に停止保持させると共に、その球重量から解放されるとガイド手段に沿って自動的に開閉部材を球抜き孔を閉じる位置に復帰させるようにしたものであるから、パチンコ球を跳ね上げて閉じるようなことがなく、パチンコ球を残さず球抜きをスムーズに行うことができる。
【００３９】
また、開閉部材の戻り抵抗手段を設けることでパチンコ球が残らず球抜きを確実なものとすることができる。
【００４０】
さらに、余分な部品が不要であるから構造が簡単であり、係止手段の損耗により開閉部材を球抜き孔の開放状態が保持できなくなっても、何の支障もなく球抜きを行うことができる。
【図面の簡単な説明】
【図１】パチンコ機の正面図である。
【図２】パチンコ機の裏面図である。
【図３】下部球受皿の斜視図である。
【図４】下部球受皿の分解斜視図である。
【図５】球抜き孔を閉塞した状態の下部球受皿の平面図である。
【図６】球抜き孔を全開した状態の下部球受皿の平面図である。
【図７】（ａ）〜（ｃ）は作用説明図である。
【図８】（ａ）〜（ｂ）は他の実施の形態の球抜きの作用説明図である。
【図９】（ａ）〜（ｂ）は他の実施の形態の球抜きの作用説明図である。
【図１０】（ａ）〜（ｂ）は他の実施の形態の抵抗手段を設けた球抜きの作用説明図である。
【図１１】他の実施の形態の球抜きの作用説明図である。
【図１２】他の実施の形態の係止手段を示す下部球受皿の要部正面図である。
【図１３】他の実施の形態のガイド手段を示す要部斜視図である。
【符号の説明】
６                  上部球受皿
７                  下部球受皿
８                  皿部
１０                底壁
１１                球抜き孔
１２                落入孔
１４                開閉部材
１５                支持枠
１６                スプリング（付勢部材）
１８                ガイド突起（ガイド手段，係止手段）
２２                係止部（係止手段）
２６                係合部（係止手段）
２８                ガイド溝（ガイド手段，抵抗手段）
３１                歯車（抵抗手段）
３３                巻ばね（付勢部材）
３５                突条（ガイド手段）
３６                ガイド片（ガイド手段，係止手段）
４５                屈曲レール
４９                球抜き装置
【図１】
0005002094.tif 000002
【図２】
0005002094.tif 000003
【図３】
0005002094.tif 000004
【図４】
0005002094.tif 000005
【図５】
0005002094.tif 000006
【図６】
0005002094.tif 000007
【図７】
0005002094.tif 000008
【図８】
0005002094.tif 000009
【図９】
0005002094.tif 000010
【図１０】
0005002094.tif 000011
【図１１】
0005002094.tif 000012
【図１２】
0005002094.tif 000013
【図１３】
0005002094.tif 000014